(57)【要約】【課題】一般的なタイル材や天然石とは異なる風合いを備えたモザイク状タイルを提供する。【解決手段】シート状の基材１１に多数のタイル材１５が並置されて一体化されたモザイク状タイル１０において、並置された前記タイル材１５のうち一部のタイル材は金属製の金属表面２１を有する装飾タイル２０で構成され、前記装飾タイル２０は、不規則ないし規則的に配置されている。前記装飾タイル２０の金属表面２１は、ステンレス又はアルミニウムよりなる。前記装飾タイル２０の金属表面２１には、模様加工が施されていてもよい。【選択図】図１
0003218571.tif 000002
【実用新案登録請求の範囲】
【請求項１】
シート状の基材に多数のタイル材が並置されて一体化されたモザイク状タイルにおいて、
並置された前記タイル材のうち一部のタイル材は金属製の金属表面を有する装飾タイルで構成され、
前記装飾タイルは、不規則ないし規則的に配置されている
ことを特徴とするモザイク状タイル。
【請求項２】
前記装飾タイルの金属表面は、ステンレス又はアルミニウムよりなる請求項１に記載のモザイク状タイル。
【請求項３】
前記装飾タイルの金属表面に模様加工が施されている請求項１又は２に記載のモザイク状タイル。
【請求項４】
前記基材が粘着性シートである請求項１ないし３のいずれか１項に記載のモザイク状タイル。
【請求項５】
前記基材が補強ネットである請求項１ないし３のいずれか１項に記載のモザイク状タイル。
【考案の詳細な説明】
【技術分野】
【０００１】
本考案は、床材や壁材として使用されるモザイク状タイルに関する。
【背景技術】
【０００２】
建築物の室内外における床材や壁材には、多数のタイル材を並置一体化したモザイク状タイルが広く使用されている。モザイク状タイルは、一般にセラミック製のタイル材で構成されるが、住宅の玄関ポーチ等において床材や壁材に天然石等の石材が好んで用いられることから、景観向上のために天然石等の石材をモザイク状に多数並置することが知られている（例えば、特許文献１参照）。この種のモザイク状タイルでは、一般的なタイル材や天然石の風合いに留まらず、様々な建築物の外観等に対応して、デザイン表現の多様化が求められている。
【先行技術文献】
【特許文献】
【０００３】
【特許文献１】実登３０４２３６５号公報
【考案の概要】
【考案が解決しようとする課題】
【０００４】
本考案は、前記の点に鑑みなされたものであって、一般的なタイル材や天然石とは異なる風合いを備えたモザイク状タイルを提供するものである。
【課題を解決するための手段】
【０００５】
すなわち、請求項１の考案は、シート状の基材に多数のタイル材が並置されて一体化されたモザイク状タイルにおいて、並置された前記タイル材のうち一部のタイル材は金属製の金属表面を有する装飾タイルで構成され、前記装飾タイルは、不規則ないし規則的に配置されていることを特徴とするモザイク状タイルに係る。
【０００６】
請求項２の考案は、前記装飾タイルの金属表面は、ステンレス又はアルミニウムよりなる請求項１に記載のモザイク状タイルに係る。
【０００７】
請求項３の考案は、前記装飾タイルの金属表面に模様加工が施されている請求項１又は２に記載のモザイク状タイルに係る。
【０００８】
請求項４の考案は、前記基材が粘着性シートである請求項１ないし３のいずれか１項に記載のモザイク状タイルに係る。
【０００９】
請求項５の考案は、前記基材が補強ネットである請求項１ないし３のいずれか１項に記載のモザイク状タイルに係る。
【考案の効果】
【００１０】
請求項１の考案に係るモザイク状タイルによると、シート状の基材に多数のタイル材が並置されて一体化されたモザイク状タイルにおいて、並置された前記タイル材のうち一部のタイル材は金属製の金属表面を有する装飾タイルで構成され、前記装飾タイルは、不規則ないし規則的に配置されているため、一般的なタイル材や天然石とは異なり、金属調が散りばめられた斬新な外観や金属調が秩序立って配列された整然とした外観等の多様で優れた意匠性が得られる。
【００１１】
請求項２の考案に係るモザイク状タイルによると、請求項１の考案において、前記装飾タイルの金属表面は、ステンレス又はアルミニウムよりなるため、加工が容易で製造コストの面でも有利である。
【００１２】
請求項３の考案に係るモザイク状タイルによると、請求項１または２の考案において、前記装飾タイルの金属表面に模様加工が施されているため、金属調の外観が単調とならず、意匠性が向上する。
【００１３】
請求項４の考案に係るモザイク状タイルによると、請求項１ないし３の考案において、前記基材が粘着性シートであるため、製造時の作業高効率がよく補強性にも優れる。
【００１４】
請求項５の考案に係るモザイク状タイルによると、請求項１ないし３の考案において、前記基材が補強ネットであるため、面方向への強度と面の垂直方向への柔軟性に優れ、当該タイルの折りたたみが容易で省スペース化されて収納しやすくなり、さらに、施工時の作業効率も向上する。
【図面の簡単な説明】
【００１５】
【図１】本考案の第１実施形態に係るモザイク状タイルの表面側の概略平面図である。
【図２】第１実施形態に係るモザイク状タイルの裏面側の概略平面図である。
【図３】第２実施形態に係るモザイク状タイルの表面側の概略平面図である。
【図４】第２実施形態に係るモザイク状タイルの裏面側の概略平面図である。
【図５】装飾タイルの断面図である。
【考案を実施するための形態】
【００１６】
図１〜４に示す本考案のモザイク状タイル１０は、シート状の基材１１に多数のタイル材１５が並置されて一体化されたものであって、タイル材１５の一部が装飾タイル２０で構成されている。このモザイク状タイル１０は、例えば、玄関ポーチ等の床材や壁材として好適に使用される。
【００１７】
シート状の基材１１は、多数のタイル材１５を一体に保持するシート材である。基材１１としては、例えば、貼付紙、網目紙、ネット等の適宜のシート材が使用される。これらのシート材のうち、網目紙やネット等のように接着性能を有していないシート材を使用する場合、公知の接着剤を介してタイル材１５が貼り付けられる。基材１１は、タイル１０の裏面側に相当する。
【００１８】
タイル材１５は、基材１１の表面に多数並置されて床面や壁面を構成する部材であって、並置されたタイル材のうち一部のタイル材が装飾タイル２０で構成され、装飾タイル２０が不規則ないし規則的に配置される。タイル材１５は、四角形や六角形等の多角形状や円形状等の適宜の平面形状からなる小片部材である。多数のタイル材１５では、装飾タイル２０以外のタイル材が通常タイル１６で構成される。通常タイル１６は、セラミック、ガラス、熱可塑性樹脂、石材等の適宜の材料で形成される。この通常タイル１６では、必要に応じて適宜の着色が施される。多数の通常タイル１６の着色は、同一色で統一してもよいし、複数種類の色で適宜に組み合わせる等してもよい。
【００１９】
装飾タイル２０は、金属製の金属表面２１を有し、通常タイル１６と異なる金属光沢を発現させて金属調の外観を創出する部材である。装飾タイル２０は、全体を金属材料で形成してもよいし、表面側等の一部分を金属材料で形成してもよい。また、装飾タイル２０では、金属表面２１に適宜の着色を施して、金属光沢を有する着色タイルとすることも可能である。実施形態の装飾タイル２０は、図５に示すように、金属表面２１を金属製の板部材２２で形成し、天然石やセラミック等の適宜の硬質の土台部材２３の表面に金属表面２１を被着させて構成される。金属表面２１を構成する板部材２２は、端部の全周が下方に屈曲して形成されたフランジ部２２ａを有し、土台部材２３の側面上部を全周にわたって被覆する。これにより、装飾タイル２０の表面側から視認できる部分を金属表面２１で構成することができる。
【００２０】
装飾タイル２０の金属表面２１は、金属光沢が発現される適宜の金属材料で構成することができるが、加工容易性や製造コスト等の観点から、ステンレス又はアルミニウムとすることが好ましい。また、装飾タイル２０の金属表面２１は、平滑面として構成してもよいし、適宜の模様加工を施してもよい。模様加工としては、円弧、直線、交差等の傷模様や砂目模様、その他の艶消し模様等が挙げられる。金属表面２１に模様加工を施すことにより、金属調の外観が単調とならず、意匠性が向上する。
【００２１】
ここで、本考案のモザイク状タイル１０のバリエーションについて説明する。図１，２に示す第１実施形態に係るモザイク状タイル１０Ａは、貼付紙等の粘着性シート１２からなる基材１１Ａに平面視四角形状のタイル材１５Ａが升目状に多数並置され、タイル材１５Ａのうち一部が規則的に配置された装飾タイル２０Ａからなる例である。
【００２２】
粘着性シート１２からなる基材１１Ａは、表面に接着層を有する紙等のシート体からなり、図２に示すように、正方形等のタイル１０の全体形状に対応した適宜の形状に形成される。粘着性シート１２では、接着材等を別途用意せずにタイル材１５Ａを貼り付けることが可能であるため製造時の作業高効率がよく、タイル１０Ａのほぼ全面にわたって配置されるため補強性にも優れる。また、粘着性シート１２として、表裏両面に接着層を有する両面粘着性シートを用いてもよい。両面粘着性シートでは、モザイク状タイルを設置場所に直接貼着することが可能であるため、施工時の作業効率が向上する。
【００２３】
升目状に多数並置されたタイル材１５Ａは、例えば、図１に示すように、装飾タイル２０Ａ，２０Ａｂ同士が２つの通常タイル１６，１６を介して配置される。装飾タイル２０Ａの配置は、図示の例に限らず、所定の規則性を有していれば特に限定されない。複数の装飾タイル２０Ａが多数並置されたタイル材１５Ａにおいて規則的に配置されることにより、当該モザイク状タイル１０Ａに金属調の装飾部分が秩序立って配列された整然とした外観を創出することができる。また、各装飾タイル２０Ａの金属表面２１を、すべて同一の平滑面としたり、同一の模様加工を施したり、同一の着色を施したりすることにより、金属調の装飾部分に統一感が生じ、より整然とした外観を際立たせることができる。なお、多数の通常タイル１６を同一色で統一したり、装飾タイル２０Ａの規則性に対応させて組み合わせた着色を施したりする等、装飾タイル２０Ａ以外の部分でも統一感を創出して、金属調の規則性を強調することも可能である。
【００２４】
図３，４に示す第２実施形態に係るモザイク状タイル１０Ｂは、補強ネット１３からなる基材１１Ｂに平面視六角形状のタイル材１５Ｂがヘクス状に多数並置され、タイル材１５Ｂのうち一部が不規則に配置された装飾タイル２０Ｂからなる例である。
【００２５】
補強ネット１３からなる基材１１Ｂは、多数の糸状物が四角形や六角形等の適宜の格子形状に編成されたシート体である。補強ネット１３では、糸状物からなるシート体であることから、面方向への強度に優れるとともに、面の垂直方向への柔軟性に優れる。そのため、タイル１０Ｂの使用前等の場合には、容易に折りたたむことができて省スペース化を図ることができ、収納しやすくなる。また、補強ネット１３は格子形状であるため、例えば施工時において、設置場所にモルタル等を充填して当該タイル１０Ｂを配置し押圧することにより、各タイル材１５Ｂ同士の隙間にモルタルが容易に浸透する。そのため、施工時の作業効率が向上する。なお、図示の例では、補強ネット１３は六角形の格子形状で構成される。
【００２６】
ヘクス状に多数並置されたタイル材１５Ｂは、例えば、図３に示すように、複数の装飾タイル２０Ｂがそれぞれ任意の位置に配置される。すなわち、多数のタイル材１５Ｂが全体として規則的（ヘクス状）に配置されている中で、複数の装飾タイル２０Ｂが不規則に点在した状態となる。そのため、当該モザイク状タイル１０Ｂでは、規則的に配置された多数のタイル材１５Ｂの中に金属調の装飾部分を散りばめた斬新な外観を創出することができる。また、複数の装飾タイル２０Ｂは、それぞれ平滑面や種々の傷模様、砂目模様等の複数種類の金属表面２１ａ，２１ｂ，２１ｃ，２１ｄ，２１ｅで構成することが好ましい。さらに、これらに複数種類の着色を施すことも可能である。これにより、金属調の装飾部分がより多様に構成されて、不規則性に富んだ外観が得られる。なお、多数の通常タイル１６を複数種類の色で構成して不規則に配置する等して、モザイク状タイル１０Ｂ全体でより多様な外観を創出することも可能である。
【００２７】
以上図示し説明したように、本考案のモザイク状タイルでは、並置されたタイル材のうち一部のタイル材が金属製の金属表面を有する装飾タイルで構成される。そのため、一般的なタイル材や天然石とは異なる金属調の風合いを備えたモザイク状タイルを提供することができる。特に、装飾タイルを不規則ないし規則的に配置することにより、金属調が散りばめられた斬新な外観や、金属調が秩序立って配列された整然とした外観等の多様で優れた意匠性が得られる。
【００２８】
なお、本考案のモザイク状タイルは、前述の実施形態のみに限定されるものではなく、考案の趣旨を逸脱しない範囲において構成の一部を適宜に変更して実施することができる。例えば、第１実施形態のモザイク状タイルでは、複数の装飾タイルの金属表面をすべて同一としたが、複数種類の金属表面で構成したり、複数種類の着色を施したりして、これら複数種類の装飾タイルをそれぞれ規則的に配置してもよい。その際、多数の通常タイルの着色の組み合わせ等も装飾タイルに対応させることが好ましい。
【産業上の利用可能性】
【００２９】
本考案のモザイク状タイルは、一般的なタイル材や天然石とは異なる金属調の風合いによる多様で優れた意匠性を備える。そのため、デザイン表現の多様化に対応したモザイク状タイルを提供することができる。
【符号の説明】
【００３０】
１０，１０Ａ，１０Ｂ    モザイク状タイル
１１，１１Ａ，１１Ｂ    基材
１２    粘着性シート
１３    補強ネット
１５    タイル材
１６    通常タイル
２０，２０Ａ，２０Ｂ    装飾タイル
２１    金属表面
２２    板部材
２２ａ  フランジ部
２３    土台部材
【図１】
0003218571.tif 000003
【図２】
0003218571.tif 000004
【図３】
0003218571.tif 000005
【図４】
0003218571.tif 000006
【図５】
0003218571.tif 000007